(57)【要約】【課題】  ロック時に回転調整軸の垂直度の変化が防止される調整用ねじロック機構を提供すること。【解決手段】  軸受部１１から突出した回転調整軸１７のねじ部１７ｂに、弾性体１２、ナット１３、ロック用リング１４の順で装着される。そして、弾性体１２の反発力を取付ねじ１５の締め具合により調整することができ、ねじ１５の締め具合に応じて弾性体１２が圧縮される。そして、弾性体１２の圧縮の程度に応じてねじ部１７ｂとロック用リング１４および軸受部１１とのねじ間のくいつき具合が変化することから、取付ねじ１５の締め具合により回転調整軸１７を回転可能にしたり、回転調整軸１７をロック状態にすることができる。【選択図】  図５
2018071589.tif 000002
【特許請求の範囲】
【請求項１】
平板状の取付板に固着され、雌ねじが形成された貫通孔が中央部に形成されると共に、該貫通孔の周囲に対向するよう複数のねじ孔が形成されている軸受部と、
電気的特性を調整するロータ導体がねじ部の一端に固着されており、該ねじ部が前記貫通孔の雌ねじに螺合されている回転調整軸と、
該回転調整軸に嵌挿された弾性体と、
前記回転調整軸に螺合された多角形のナットと、
該ナットが回転しないよう係合する切欠部と、前記回転調整軸に挿入される貫通孔と、該貫通孔の周囲に対向するよう複数の挿通孔が形成されているロック用リングと、
該ロック用リングの複数の挿通孔のそれぞれに挿通され、前記軸受部の複数のねじ孔に螺合される取付ねじとを備え、
前記軸受部から突出した前記回転調整軸のねじ部に、前記弾性体、前記ナット、前記ロック用リングの順で装着され、前記弾性体の圧縮の程度を前記取付ねじの締めつけ具合により調整することができ、前記取付ねじの締めつけ具合により前記回転調整軸を自由に回転可能にしたり、所定の回転負荷の基で回転可能にしたり、前記回転調整軸をロック状態にできることを特徴とする調整用ねじロック機構。
【請求項２】
前記取付板がフィルタのケースを構成するケース板とされ、前記回転調整軸を回転させて前記ロータ導体を上下させることにより、フィルタの電気的特性が調整されることを特徴とする請求項１に記載の調整用ねじロック機構。
【発明の詳細な説明】
【技術分野】
【０００１】
本発明は、電気的特性を調整する調整用ねじをロックすることのできる調整用ねじロック機構に関する。
【背景技術】
【０００２】
特許文献１に従来の同軸型バンドパスフィルタが示されているが、同様の構造の従来の同軸型バンドパスフィルタＦ１００の構成を図１５に示す。図１５では、ケース１０１を断面で示すと共に、共振器１１０の上部を破断して示している。
図１５に示す同軸型バンドパスフィルタＦ１００は、１段目００１と２段目００２とのフィルタが２段縦続されて構成されており、１段目００１と２段目００２とは同じ構成とされている。同軸型バンドパスフィルタＦ１００は、アースとされる導電性のケース板１０２からなるケース１０１内に収納されており、各段は円筒状の導電体からなる共振器１１０が配置されている。ケース１０１には図示しない導電性の蓋が多数のビスにより固着されている。また、同軸型バンドパスフィルタＦ１００に高周波信号を入出力するコネクタ１０４が、ケース１０１の側部の両端に設けられている。この場合、コネクタ１０４はコネクタ固定板１０７を介してビスにてケース板１０２に固着されている。
【０００３】
コネクタ１０４の中心導体にはコ字状の結合ループ１１２の一端が半田付けにより接続されており、この結合ループ１１２の他端はコネクタ固定板１０７に半田付けにより接続されている。また、結合ループ１１２に対向して導電性の共振器１１０が配設されており、共振器１１０の下端はケース板１０２に電気的に接続されて、共振器１１０が固着されている。円筒状の共振器１１０の内部に上端から円柱状のロータ導体１１８が挿入されて、ロータ導体１１８と共振器１１０とは間隙を持って配置されている。ロータ導体１１８を上下することにより、共振器１１０の共振周波数を調整できるようにされている。
【０００４】
さらに、１段目００１の共振器１１０で共振された信号は、遮へい板に形成された結合窓１０５を介して２段目００２のフィルタを構成する共振器１１０と結合されている。なお、２段目のフィルタは、共振器１１０と共振器１１０の共振周波数を調整するロータ導体１１８を１段目００１と同様に備えている。２段目００２のフィルタにおいて、共振器１１０と電磁結合している結合ループ１１２が接続されたコネクタ１０４からバンドパスフィルタ出力が取り出されるようにされている。
【０００５】
この同軸型バンドパスフィルタＦ１００の動作を説明すると、１段目００１のコネクタ１０４から入力された高周波信号は、結合ループ１１２を介して共振器１１０に入力される。そして、入力された信号中の共振器１１０が共振する周波数成分の信号のみが、共振器１１０により抽出されて、抽出された信号が結合窓１０５を介し２段目００２のフィルタに入力される。ついで、２段目００２においても１段目００１と同様に、共振器１１０において入力された信号中の共振器１１０が共振する周波数成分の信号のみが抽出されて、結合ループ１１２を介し出力側のコネクタ１０４から出力される。これにより、２段からなるバンドパスフィルタにより高周波信号のフィルタリングが行われる。
【先行技術文献】
【特許文献】
【０００６】
【特許文献１】特開平１０−１７８３０３号公報
【発明の概要】
【発明が解決しようとする課題】
【０００７】
上記したように、ロータ導体１１８が上下されて共振器１１０の共振周波数が調整されており、このロータ導体１１８は調整用ねじロック機構１００により上下される。図１６に調整用ねじロック機構１００の構成を断面図で示す側面図である。
この図に示すように、円柱状のロータ導体１１８は棒状の回転調整軸１１７の先端に固着されており、回転調整軸１１７の外周面には全体にわたり雄ねじとされるねじ部１１７ｂが形成されている。ケース板１０２には、中央部に雌ねじが形成された円盤状の形状とされた軸受部１１１が固着されている。この場合、ケース板１０２に形成された貫通孔に、段差が形成されて若干径が細くされている軸受部１１１の側周面を圧入することにより固着されている。ロータ導体１１８をケース１０１の内部に配置して回転調整軸１１７を軸受部１１１の雌ねじに螺合させて、回転調整軸１１７の他端部をケース板１０２の外部へ位置させる。また、軸受部１１１においては、雌ねじの周囲に対向するように取付ねじ１１５が螺合される２つの雌ねじ部が形成されている。外部へ位置させた回転調整軸１１７の部位には、ナット１１３が螺合される。このナット１１３の中央部に雌ねじが形成され、この雌ねじの周囲に対向して２つの挿通孔が形成されている。そして、ナット１１３の２つの挿通孔にワッシャー１１６を嵌挿した取付ねじ１１５をそれぞれ挿通させて、２本の取付ねじ１１５を軸受部１１１の雌ねじ部にそれぞれ螺合させる。
【０００８】
ロータ導体１１８を上下させて共振器１１０の共振周波数を調整する際には、回転調整軸１１７の先端に形成された溝部１１７ａにマイナスドライバーを係合して、回転調整軸１１７を所望の方向に回転していく。これにより、回転調整軸１１７の回転方向に応じてロータ導体１１８が上下する。この際に、取付ねじ１１５の締め具合を調整して図１７に示すように回転調整軸１１７に印加される軸受部１１１およびナット１１３からの応力（黒塗り矢印で示す）を調整して、回転調整軸１１７が回転可能な所定の回転負荷を与える。これにより、調整作業時においては、回転調整軸１１７に所定の回転負荷が与えられた状態で希望する回転位置に調整することができる。共振周波数の調整が終了したら、共振周波数がずれることを防止するために、回転調整軸１１７をロックする。ロックするには、２本の取付ねじ１１５の締め具合を強くして図１８に示すように回転調整軸１１７に印加される軸受部１１１およびナット１１３からの応力を大きくする。これにより、回転調整軸１１７がロックされる。
【０００９】
ところで、回転調整軸１１７のケース板１０２に対する垂直の度合いが変わると、ロータ導体１１８と共振器１１０との間隙が微妙に変化することから、共振器１１０の共振周波数がずれるようになる。そして、回転調整軸１１７のケース板１０２に対する垂直精度は、回転調整軸１７に直接ねじ込まれているナット１１３の傾きに支配され、その傾きは２本の取付ねじ１１５の締め付けバランスに応じて、大きく変化する。しかしながら、ロックする際には、２本の取付ねじ１１５を同時に同じ締め付け力で締め付けて行くことはできず、通常は、取付ねじ１１５を１本ずつ締め付けていくことから、ナット１１３が傾くようになって、回転調整軸１１７の垂直度が変化するようになる。この結果、ロックする際に共振器１１０の共振周波数がずれてしまうという問題点があった。
【００１０】
そこで、本発明は、調整用ねじをロックする際に、電気的特性がずれることを防止することができる調整用ねじロック機構を提供することを目的としている。
【課題を解決するための手段】
【００１１】
本発明の調整用ねじロック機構は、平板状の取付板に固着され、雌ねじが形成された貫通孔が中央部に形成されると共に、該貫通孔の周囲に対向するよう複数のねじ孔が形成されている軸受部と、電気的特性を調整するロータ導体がねじ部の一端に固着されており、該ねじ部が前記貫通孔の雌ねじに螺合している回転調整軸と、該回転調整軸に嵌挿された弾性体と、前記回転調整軸に螺合された多角形のナットと、該ナットが回転しないよう係合する切欠部と、前記回転調整軸に挿入される貫通孔と、該貫通孔の周囲に対向するよう複数の挿通孔が形成されているロック用リングと、該ロック用リングの複数の挿通孔のそれぞれに挿通され、前記軸受部の複数のねじ孔に螺合される取付ねじとを備え、前記軸受部から突出した前記回転調整軸のねじ部に、前記弾性体、前記ナット、前記ロック用リングの順で隙間なく装着され、前記弾性体の圧縮の程度を前記取付ねじの締め具合により調整することができ、前記取付ねじの締め具合により前記回転調整軸を回転可能にしたり、前記回転調整軸をロック状態にできることをことを最も主要な特徴としている。
また、上記した調整用ねじロック機構において、前記取付板がフィルタのケースを構成するケース板とされ、前記回転調整軸を回転させて前記ロータ導体を上下させることにより、フィルタの電気的特性が調整されるようにしてもよい。
【発明の効果】
【００１２】
本発明の調整用ねじロック機構は、弾性体の圧縮の程度を取付ねじの締め具合により調整することができ、取付ねじの締め具合により回転調整軸を回転可能にしたり、回転調整軸をロック状態にすることができる。これにより、取付ねじの締め具合を調整してロータ導体の位置を調整した後に、取付ねじの締め具合を調整してロック状態とする際に、弾性体の反発力がナットに均一に与えられるため、１本ずつ取付ねじを締め込むようにしてもナットが回転調整軸に対して傾くことなく保持される。これにより、回転調整軸の垂直度が維持されるようになり、電気的特性がずれることを防止することができる。
【図面の簡単な説明】
【００１３】
【図１】本発明の実施例の調整用ねじロック機構を備えるフィルタの構成を示す図である。
【図２】本発明の実施例の調整用ねじロック機構の構成を示す側面図である。
【図３】本発明の実施例の調整用ねじロック機構の構成を示す正面図である。
【図４】本発明の実施例の調整用ねじロック機構の構成を示す背面図である。
【図５】本発明の実施例の調整用ねじロック機構の構成を断面図で示す側面図である。
【図６】本発明の実施例の調整用ねじロック機構の構成を分解図で示す側面図である。
【図７】本発明の実施例の調整用ねじロック機構における回転調整軸の構成を示す側面図および正面図である。
【図８】本発明の実施例の調整用ねじロック機構におけるロック用リングの構成を示す正面図、背面図および半断面図で示す側面図である。
【図９】本発明の実施例の調整用ねじロック機構におけるナットの構成を示す正面図および側面図である。
【図１０】本発明の実施例の調整用ねじロック機構における軸受部の構成を示す正面図、背面図および半断面図で示す側面図である。
【図１１】本発明の実施例の調整用ねじロック機構における弾性体の構成を示す正面図および断面図で示す側面図である。
【図１２】本発明の実施例の調整用ねじロック機構における調整時の反発力の様子を示す断面図で示す側面図である。
【図１３】本発明の実施例の調整用ねじロック機構における調整時の他の反発力の様子を示す断面図で示す側面図である。
【図１４】本発明の実施例の調整用ねじロック機構における調整時の他の反発力の様子を示す断面図で示す側面図である。
【図１５】従来の調整用ねじロック機構を備えるフィルタの構成を示す図である。
【図１６】従来の調整用ねじロック機構の構成を断面図で示す側面図である。
【図１７】従来の実施例の調整用ねじロック機構における調整時の反発力の様子を示す断面図で示す側面図である。
【図１８】従来の実施例の調整用ねじロック機構における調整時の反発力の様子を示す断面図で示す側面図である。
【発明を実施するための形態】
【００１４】
本発明の実施例の調整用ねじロック機構１を備えるフィルタである同軸型バンドパスフィルタＦ１の構成を図１に示す。図１では、ケース２を断面で示すと共に、共振器３の上部を破断して示している。
図１に示す同軸型バンドパスフィルタＦ１は、１段目０１と２段目０２とのフィルタが２段縦続されて構成されており、１段目０１と２段目０２とは同じ構成とされている。同軸型バンドパスフィルタＦ１は、アースとされる導電性のケース板２ａからなる箱状のケース２内に収納されており、各段は円筒状の導電体からなる共振器３が配置されている。ケース２には図示しない導電性の蓋が多数のビスにより固着されている。また、同軸型バンドパスフィルタＦ１に高周波信号を入出力するコネクタ４が、ケース２の側部の両端に設けられている。この場合、コネクタ４はコネクタ固定板７を介してビスにてケース板２ａに固着されている。
【００１５】
コネクタ４の中心導体にはコ字状の結合ループ６の一端が半田付けにより接続されており、この結合ループ６の他端はコネクタ固定板７に半田付けにより接続されている。また、結合ループ６に対向して導電性の共振器３が配設されており、共振器３の下端ははんだ付けやろう付けによりケース板２ａに電気的に接続されて、共振器３がケース２内に固着されている。円筒状の共振器３の内部に上端から円柱状のロータ導体１８が挿入されて、ロータ導体１８と共振器３とが所定の間隙を持って対向配置されている。ロータ導体１８を上下することにより、共振器１０とロータ導体１８との間の容量成分が変化して共振周波数を調整できるようにされている。
【００１６】
さらに、１段目０１の共振器３で共振された信号は、遮へい板に形成された結合窓５を介して２段目０２のフィルタを構成する共振器３と結合されている。なお、２段目０２のフィルタは、共振器３と共振器３の共振周波数を調整するロータ導体１８を１段目０１と同様に備えている。２段目０２のフィルタにおいて、共振器３と電磁結合している結合ループ６が接続されたコネクタ４からバンドパスフィルタ出力が取り出されるようにされている。
【００１７】
この同軸型バンドパスフィルタＦ１の動作を説明すると、１段目０１のコネクタ４から入力された高周波信号は、結合ループ６を介して共振器３に入力される。そして、入力された信号中の共振器３が共振する周波数成分の信号のみが、共振器３により抽出されて、抽出された信号が結合窓５を介し２段目０２のフィルタに入力される。ついで、２段目０２においても１段目０１と同様に、共振器３において入力された信号中の共振器３が共振する周波数成分の信号のみが抽出されて、結合ループ６を介し出力側のコネクタ４から出力される。これにより、２段からなるバンドパスフィルタにより高周波信号のフィルタリングが行われる。
同軸型バンドパスフィルタＦ１が備えている本発明の実施例の調整用ねじロック機構１では、回転調整軸１７を回転してロータ導体１８を上下することにより、同軸型バンドパスフィルタＦ１の周波数を調整することができる。この場合、取付ねじ１５の締め付けの程度により、回転調整軸１７を自由な回転状態として粗調整できたり、所定の回転負荷がかかった状態で微調整できたり、調整後に回転調整軸１７をロックすることができる。以下に、本発明の実施例の調整用ねじロック機構１を説明する。
【００１８】
本発明の実施例の調整用ねじロック機構１の構成を図２ないし図６に示す。また、本発明にかかる調整用ねじロック機構１を構成する部品の部品図を図７ないし図１１に示す。図２は本発明にかかる調整用ねじロック機構１の構成を示す側面図、図３はその構成を示す正面図、図４はその構成を示す背面図であり、図５は本発明にかかる調整用ねじロック機構１の構成を断面図で示す側面図、図６はその構成を示す分解図である。また、図７（ａ）は回転調整軸１７の構成を示す側面図、図７（ｂ）はその正面図であり、図８（ａ）はロック用リング１４の構成を示す正面図、図８（ｂ）はその背面図、図８（ｃ）はその半断面図で示す側面図であり、図９（ａ）はナット１３の構成を示す正面図、図９（ｂ）はその側面図であり、図１０（ａ）は軸受部１１の構成を示す正面図、図１０（ｂ）はその背面図、図１０（ｃ）はその半断面図で示す側面図であり、図１１（ａ）は弾性体１２の構成を示す正面図、図１１（ｂ）はその断面図で示す側面図である。
【００１９】
本発明にかかる調整用ねじロック機構１の構成を説明すると、同軸型バンドパスフィルタＦ１のケース２を構成する平板状の金属製とされたケース板２ａには、同軸型バンドパスフィルタＦ１の段数と同数の軸受部１１が固着されている。軸受部１１は円盤状の金属製とされ、図１０（ａ）（ｂ）（ｃ）に示すように、中央部に雌ねじが形成された貫通孔１１ｃが形成され、貫通孔１１ｃの周囲に対向するよう２つのねじ孔１１ａが形成されている。また、軸受部１１の側周面には段差部１１ｅが形成されて外径が若干大きい鍔部１１ｂと、外径が若干小さい円形部１１ｄとが形成されている。ケース板２ａには、この円形部１１ｄの外径より若干小さい挿通孔が形成され、この挿通孔に外面側から軸受部１１の円形部１１ｄを圧入することにより、ケース板２ａに軸受部１１が固着されている。
【００２０】
軸受部１１の貫通孔１１ｃには回転調整軸１７が螺合されている。回転調整軸１７は、図７（ａ）（ｂ）に示すように先端に固着された円柱状の金属製とされたロータ導体１８と、外周面の全体にわたり雄ねじが形成されている丸棒状の金属製とされたねじ部１７ｂとから構成されている。ロータ導体１８をケース板２ａ内に位置させるように、ねじ部１７ｂをケース板２ａの内部側から軸受部１１の貫通孔１１ｃに螺合させる。また、回転調整軸１７の他端面にはＩ字状とされた溝部１７ａが形成されており、溝部１７ａは、回転調整軸１７を回転させる際にマイナスドライバーなどの回転工具を係合する溝とされている。
【００２１】
軸受部１１から外部へ突出したねじ部１７ｂには、図１１（ａ）（ｂ）に示す弾性体１２が嵌挿される。弾性体１２は、図示するように断面円形のリング状とされた弾性を有するゴムや樹脂製とされているリング状弾性体１２ａから構成されている。そして、ねじ部１７ｂにナット１３が弾性体１２の上になるよう螺合される。ナット１３は図９（ａ）（ｂ）に示すように六角ナットとされ、中央部に雌ねじとされたねじ孔１３ｂが形成され、このねじ孔１３ｂは回転調整軸１７のねじ部１７ｂに螺合される。さらに、ナット１３の上にロック用リング１４が配置される。ロック用リング１４は円盤状の金属製とされ、図８（ａ）（ｂ）（ｃ）に示すように、円盤状のリング部１４ａを有し、リング部１４ａの中央部にねじ部１７ｂが挿通可能な径の貫通孔１４ｂが形成され、貫通孔１４ｂの周囲に対向するよう２つの挿通孔１４ｃが形成されている。また、リング部１４ａの裏面には貫通孔１４ｂの径より広い幅の切欠部１４ｄが形成されている。切欠部１４ｄの幅は、六角形のナット１３が切欠部１４ｄに係合してナット１３の回転を抑止できる幅とされている。また、２つの挿通孔１４ｃにはワッシャー１６が嵌挿された取付ねじ１５がそれぞれ挿通されて、取付ねじ１５は軸受部１１のねじ孔１１ａにそれぞれ螺合される。
【００２２】
本発明の実施例の調整用ねじロック機構１において、ロータ導体１８を上下させて同軸型バンドパスフィルタＦ１の周波数を調整する工程には次に説明する３工程がある。
工程１は、ナット１３をねじ部１７ｂに所定の締め具合でねじ込む。この状態において、回転調整軸１７にロック用リング１４の貫通孔１４ｂを挿通し、ロック用リング１４の切欠部１４ｄにナット１３を回転しないよう係合する。次いで、ロック用リング１４の２つの挿通孔１４ｃに挿通した取付ねじ１５を、軸受部１１の２つのねじ孔１１ａにそれぞれ螺合する。そして、ロック用リング１４の２本の取付ねじ１５を締め込んでいくと、締め込みに応じて、ロック用リング１４により押圧されたナット１３が弾性体１２の方向へ移動していく。この工程１の状態が図１２に示されている。この工程１では、回転調整軸１７とナット１３および軸受部１１とのねじ山の斜面同士が接触しなくなる状態となるように、ロック用リング１４の取付ねじ１５が締め込まれる。工程１では、応力がナット１３を介してロック用リング１４から弾性体１２に印加されて、弾性体１２が圧縮され黒塗り矢印で示す反発力が生じる。この反発力は、軸受部１１とナット１３から弾性体１２へ印加される黒塗り矢印で示す応力と釣り合うようになる。これにより、回転調整軸１７のねじ部１７ｂのねじ山が、ナット１３のねじ谷に位置すると共に、軸受部１１の貫通孔１１ｃのねじ谷に、回転調整軸１７のねじ部１７ｂのねじ山が位置するようになる。従って、溝部１７ａにマイナスドライバーを係合して回転調整軸１７を回転させた際に、回転負荷が掛からない自由な状態で回転調整軸１７が回転可能となる。このように工程１では、回転調整軸１７が自由に回転可能となるので、調整のやり直し等で回転調整軸１７を多回転させるため回転負荷を一時的に開放したい場合に、軸受部１１，ナット１３と回転調整軸１７におけるねじの摩耗や食い付きのリスクを軽減できる。
【００２３】
工程２は、工程１の状態からロック用リング１４の２本の取付ねじ１５をさらに締め込んでいく。この工程２の状態が図１３に示されている。この工程２では、ナット１３のねじ山左斜面が、回転調整軸１７のねじ部１７ｂのねじ山右斜面に押圧されると共に、軸受部１１の貫通孔１１ｃのねじ山右斜面が、回転調整軸１７のねじ部１７ｂのねじ山左斜面に押圧されるまで、ロック用リング１４の取付ねじ１５が締め込まれる。この工程２の状態が図１３に示されている。工程２では、工程１より大きな応力がナット１３を介してロック用リング１４から弾性体１２に印加されることから、弾性体１２が工程１より圧縮され黒塗り矢印で示す反発力が工程１より大きくなり、軸受部１１とナット１３から弾性体１２へ印加される黒塗り矢印で示す工程１より大きい応力と釣り合うようになる。これにより、溝部１７ａにマイナスドライバーを係合して回転調整軸１７を回転させようとした際に、回転調整軸１７のねじ部１７ｂのねじ山右斜面と、ナット１３のねじ山左斜面がこすれながら回転すると共に、軸受部１１の貫通孔１１ｃのねじ山右斜面と、回転調整軸１７のねじ部１７ｂのねじ山左斜面がこすれながら、回転するようになる。すなわち、所定の回転負荷が掛かった状態で回転調整軸１７を回転できるようになり、挿入長ｇを所望の長さになるよう微調整することができる。
【００２４】
工程３は、工程２よりさらにロック用リング１４の２本の取付ねじ１５を締め込む。この工程３では、ナット１３のねじ山左斜面が、回転調整軸１７のねじ部１７ｂのねじ山右斜面に強く押圧されると共に、軸受部１１の貫通孔１１ｃのねじ山右斜面が、回転調整軸１７のねじ部１７ｂのねじ山左斜面に強く押圧されるまで、ロック用リング１４の取付ねじ１５が締め込まれる。この工程３の状態が図１４に示されている。工程３では、工程２より大きな応力がナット１３を介してロック用リング１４から弾性体１２に印加されることから、弾性体１２が工程２より圧縮され黒塗り矢印で示す反発力が工程２より大きくなり、軸受部１１とナット１３から弾性体１２へ印加される黒塗り矢印で示す工程２より大きい応力と釣り合うようになる。これにより、溝部１７ａにマイナスドライバーを係合して回転調整軸１７を回転させようとした際に、回転調整軸１７のねじ部１７ｂのねじ山右斜面と、ナット１３のねじ山左斜面が強くこすれると共に、軸受部１１の貫通孔１１ｃのねじ山右斜面と、回転調整軸１７のねじ部１７ｂのねじ山左斜面が強くこすれて、大きな回転負荷が掛かった状態となって回転調整軸１７がロックされるようになる。
上記した工程１ないし工程３では、弾性体１２の反発力がナット１３に均一に与えられるため、１本ずつ取付ねじ１５を締め込むようにしてもナット１３が回転調整軸１７に対して傾くことなく保持される。このため、回転調整軸１７のケース板２ａに対する垂直度が変化することを防止して回転調整軸１７を回転不能にロックすることができ、調整時間の短縮と安定した品質の量産が可能となる。
【産業上の利用可能性】
【００２５】
以上説明した本発明の実施例にかかる調整用ねじロック機構は、平板状の取付板とされるケース板に固着され、雌ねじが形成された貫通孔が中央部に形成されると共に、該貫通孔の周囲に対向するよう複数のねじ孔が形成されている軸受部と、電気的特性を調整するロータ導体がねじ部の一端に固着されており、該ねじ部が前記貫通孔の雌ねじに螺合している回転調整軸と、該回転調整軸に嵌挿された弾性体と、前記回転調整軸に螺合された多角形のナットと、該ナットが回転しないよう係合する切欠部と、前記回転調整軸に挿入される貫通孔と、該貫通孔の周囲に対向するよう複数の挿通孔が形成されているロック用リングと、該ロック用リングの複数の挿通孔のそれぞれに挿通され、前記軸受部の複数のねじ孔に螺合される取付ねじとを備えている。そして、前記ロータ導体の反対側において前記軸受部から突出した前記回転調整軸のねじ部に、前記弾性体、前記ナット、前記ロック用リングの順で装着され、前記弾性体に印加される応力が前記取付ねじの締め具合に応じた応力となることから、前記弾性体の圧縮の程度を前記取付ねじの締め具合により調整することができ、前記取付ねじの締め具合により前記回転調整軸を回転可能にしたり、前記回転調整軸をロック状態にすることができる。
【００２６】
上記の説明では、本発明にかかる調整用ねじロック機構におけるケース板および調整用ねじロック機構を構成する各部品は、銅製の金属を用いた金属製とするのが好適であるが、高周波特性の良好な銀などをメッキした金属製としてもよい。なお、ロータ導体の形状は目的に応じて図示した円柱状の形状以外の形状、例えば円板状としてもよい。また、回転調整軸とロータ導体とを一体化してもよいし、回転調整軸をロータ導体に形成したねじ孔に螺着して固着するようにしてもよい。さらに、ナットの頭部は６角形としたが、これに限ることはなく４角形又は８角形以上の偶数の多角形、または円形から対向面同士を面取りした小判形状でも良い。ナットの頭部の形状を変更した場合は、ロック用リングの切欠部の形状もそれに合わせて変更する。さらに、弾性体の外形形状は円形を基本とするが、必要な機能を維持できるのであれば、他の形状でも良い。また、弾性体に好適な弾性材料は、シリコンやニトリル等に代表される合成ゴムとされるが、金属製の歯付き座金としてもよい。さらに、取付ねじを２本としたがこれに限ることはなく、必要に応じて３本以上とすることができる。この場合は、取付ねじの本数に応じた数のねじ孔を軸受部に形成すると共に、取付ねじの本数に応じた数の挿通孔をロック用リングに形成するようにする。取付ねじの本数を変更する場合は、その本数に合わせてロック用リングの挿通孔の数と軸受部のねじ孔の数を変更する。
本発明にかかる調整用ねじロック機構は、上記したように同軸型バンドパスフィルタに適用することができるが、同軸型バンドパスフィルタに限らず、調整用のねじを備えるフィルタ全般や電子回路装置に適用することができる。また、本発明にかかる調整用ねじロック機構を適用するフィルタは、ＶＨＦ帯やＵＨＦ帯のフィルタとするのが好適である。
【００２７】
なお、以上説明した本発明にかかる調整用ねじロック機構において、挿入長ｇを所望の長さになるよう微調整する場合に、次のようにしても微調整することができる。
まず、ナット１３をねじ部１７ｂに所定の締め具合でねじ込む。これにより、軸受部１１とナット１３との間に嵌挿されている弾性体１２に圧縮される方向の応力が印加され、この結果、弾性体１２が圧縮されて反発力が弾性体１２に生じる。この反発力は、軸受部１１とナット１３とが弾性体１２から離れるように押圧する応力となることから、ナット１３のねじ山右斜面が、回転調整軸１７のねじ部１７ｂのねじ山左斜面に押圧されると共に、軸受部１１の貫通孔１１ｃのねじ山左斜面が、回転調整軸１７のねじ部１７ｂのねじ山右斜面に押圧される。この状態において、回転調整軸１７にロック用リング１４の貫通孔１４ｂを挿通し、ロック用リング１４の切欠部１４ｄにナット１３を回転しないよう係合する。次いで、ロック用リング１４の２つの挿通孔１４ｃに挿通した取付ねじ１５を、軸受部１１の２つのねじ孔１１ａにそれぞれ螺合する。ここでは、ロック用リング１４の２本の取付ねじ１５は締め込まない。そして、溝部１７ａにマイナスドライバーを係合して回転調整軸１７を回転させた際には、ナット１３のねじ山右斜面が、回転調整軸１７のねじ部１７ｂのねじ山左斜面にこすれて回転されると共に、軸受部１１の貫通孔１１ｃのねじ山左斜面が、回転調整軸１７のねじ部１７ｂのねじ山右斜面にこすれて回転するようになる。すなわち、所定の回転負荷が掛かった状態で回転調整軸１７を回転できるようになり、挿入長ｇを所望の長さになるよう微調整することができる。
【符号の説明】
【００２８】
１  調整用ねじロック機構、２  ケース、２ａ  ケース板、３  共振器、４  コネクタ、５  結合窓、６  結合ループ、１０  共振器、１１  軸受部、１１ａ  孔、１１ｂ  鍔部、１１ｃ  貫通孔、１１ｄ  円形部、１１ｅ  段差部、１２  弾性体、１２ａ  リング状弾性体、１３  ナット、１３ｂ  ねじ孔、１４  ロック用リング、１４ａ  リング部、１４ｂ  貫通孔、１４ｃ  挿通孔、１４ｄ  切欠部、１６  ワッシャー、１７  回転調整軸、１７ａ  溝部、１７ｂ  ねじ部、１８  ロータ導体、１００  調整用ねじロック機構、１０１  ケース、１０２  ケース板、１０４  コネクタ、１０５  結合窓、１１０  共振器、１１１  軸受部、１１２  結合ループ、１１３  ナット、１１６  ワッシャー、１１７  回転調整軸、１１７ａ  溝部、１１７ｂ  ねじ部、１１８  ロータ導体、１２０  共振器、Ｆ１，Ｆ１００  同軸型バンドパスフィルタ
【図１】
2018071589.tif 000003
【図２】
2018071589.tif 000004
【図３】
2018071589.tif 000005
【図４】
2018071589.tif 000006
【図５】
2018071589.tif 000007
【図６】
2018071589.tif 000008
【図７】
2018071589.tif 000009
【図８】
2018071589.tif 000010
【図９】
2018071589.tif 000011
【図１０】
2018071589.tif 000012
【図１１】
2018071589.tif 000013
【図１２】
2018071589.tif 000014
【図１３】
2018071589.tif 000015
【図１４】
2018071589.tif 000016
【図１５】
2018071589.tif 000017
【図１６】
2018071589.tif 000018
【図１７】
2018071589.tif 000019
【図１８】
2018071589.tif 000020